(57)【特許請求の範囲】
【請求項１】
外郭を構成するボデーと、前記ボデー内部に液体を収容する有底筒状の容器と、前記容器内の液体を加熱する発熱体と、前記容器の上方開口部を覆う蓋体と、前記容器内の液体を導出する導出経路と導出手段と、前記導出経路が見える水位窓を有し、前記水位窓近傍に１つ以上の調理メニューを表すイラスト表示を、各々のイラスト表示に応じた必要最小湯量の位置に表示し、前記イラスト表示を、前記水位窓近傍のボデーに印刷するか、もしくは、前記水位窓近傍のボデーに貼り付けたシールに印刷するか、もしくは、前記水位窓に印刷した電気湯沸かし器。
【請求項２】
調理メニューの必要最小湯量の複数倍の湯量の位置に、同じ調理メニューを示すイラストを複数個並べて表示した請求項１記載の電気湯沸かし器。
【請求項３】
イラストにて表示した調理メニューを押圧操作することにより、その調理に必要な湯量をタイマー回路によりあらかじめ設定された時間作動して定量の湯を出湯するように構成をした請求項１記載の電気湯沸かし器。
【請求項４】
調理に必要な湯量が容器内に貯溜している場合に、その調理メニューのイラスト表示を表示灯により報知する請求項１記載の電気湯沸かし器。
【発明の詳細な説明】
【０００１】
【発明の属する技術分野】
本発明は、容器内に収容した液体を加熱、保温し、器体外へ導出する電気湯沸かし器に関するものである。
【０００２】
【従来の技術】
従来、この種の電気湯沸かし器は、図１０、図１１に示すようなものであった。以下に従来の電気湯沸かし器の構造を詳述する。図１０において、２２は外郭を構成するボデーで、液体２４を収容する上面開口の容器２５を内包している。２３は本体の上部に載置した注口で、中央開口部に容器２５を載置している。２６は液体を加熱、保温する発熱体で、容器２５の底面部に固着している。２９は容器の上方開口部を覆う蓋体、２８は容器内の液体２４を導出する導出手段で、ポンプで構成されている。２７ａは導出経路２７の一部を構成しているガラス管である。このガラス管２７ａにより容器内の水量がわかる構成となっていた。
【０００３】
【発明が解決しようとする課題】
しかしながら、上記従来の構成においてガラス管により容器内の水量は見えるが、その量がどのくらいの量なのかが視覚的に判りにくいという課題があった。そのためカップめんやコーヒーなどを作る際に、残湯量で足りずに途中で調理出来なくなってしまうことがあり、特に国内で年間２７億食も消費されるカップめんでは、調理不可能になり視覚的に判るようなものが求められていた。
【０００４】
本発明は上記従来の課題を解決するもので、容器内の水量がどのくらいの量なのかを視覚的に判ることが出来る電気湯沸かし器を提供することを目的とする。
【０００５】
【課題を解決するための手段】
上記課題を解決するために本発明の一つは、外郭を構成するボデーと、前記ボデー内部に液体を収容する有底筒状の容器と、前記容器内の液体を加熱する発熱体と、前記容器の上方開口部を覆う蓋体と、前記容器内の液体を導出する導出経路と導出手段と、前記導出経路が見える水位窓を有し、前記水位窓近傍に１つ以上の調理メニューを表すイラスト表示を、各々のイラスト表示に応じた必要最小湯量の位置に表示し、前記イラスト表示を、前記水位窓近傍のボデーに印刷するか、もしくは、前記水位窓近傍のボデーに貼り付けたシールに印刷するか、もしくは、前記水位窓に印刷した電気湯沸かし器としたものである。これにより容器内の水量がどのくらいの量なのかを視覚的に判ることが出来る。
【０００６】
【発明の実施の形態】
本発明の請求項１記載の発明は、外郭を構成するボデーと、前記ボデー内部に液体を収容する有底筒状の容器と、前記容器内の液体を加熱する発熱体と、前記容器の上方開口部を覆う蓋体と、前記容器内の液体を導出する導出経路と導出手段と、前記導出経路が見える水位窓を有し、前記水位窓近傍に１つ以上の調理メニューを表すイラスト表示を、各々のイラスト表示に応じた必要最小湯量の位置に表示し、前記イラスト表示を、前記水位窓近傍のボデーに印刷するか、もしくは、前記水位窓近傍のボデーに貼り付けたシールに印刷するか、もしくは、前記水位窓に印刷したことにより、容器内の残水量が調理に必要な最小限の量なのかを視覚的に判ることが出来る。
【０００７】
本発明の請求項２記載の発明は、調理メニューの必要最小湯量の複数倍の湯量の位置に、同じ調理メニューを示すイラストを複数個並べて表示したことにより、容器内の水量が調理に必要な量なのかを湯が多量の時でも、視覚的に判ることが出来る。
【０００８】
本発明の請求項３記載の発明は、イラストにて表示した調理メニューを押圧操作することにより、その調理に必要な湯量をタイマー回路によりあらかじめ設定された時間作動して定量の湯を出湯する構成を設けることにより、簡単便利に調理をすることが出来る。
【０００９】
本発明の請求項４記載の発明は、調理に必要な湯量がある場合にその調理メニューのイラスト表示を表示灯を用いて報知する構成にしたものを設けることにより、調理に必要な湯量があるかが離れたところからでも一目で判り、使い勝手の良いものになる。
【００１０】
【実施例】
以下、本発明の実施例について、図１〜図７を参照しながら説明する。本実施例の特徴的構成は湯量を視覚的に判りやすくした構成に関するものである。
【００１１】
（実施例１）
まず、本発明の第１及び第２の実施例について図１〜図３を参照しながら説明する。２は外郭を構成するボデーで、液体４を収容する上面開口の容器５を内包している。３は本体の上部に載置した注口で、中央開口部に容器５を載置している。６は液体を加熱、保温する発熱体で、容器５の底面部に固着している。９は容器の上方開口部を覆う蓋体、８は容器内の液体４を導出する導出手段で、ポンプで構成されている。７ａは導出経路７の一部を構成しているガラス管である。このガラス管７ａにより容器５内の水量がわかる。２ａはボデー２に表示しているイラストであり、水位窓１０の近傍のボデー２に印刷されており、表示している調理メニューが必要とする最小限の水量の高さ位置に記されている。また、水位窓１０には、調理メニューの表示している横に、ドットまたはラインが記されている。
【００１２】
したがって、この構成によれば、ガラス管により容器内の水量が見えるだけでなく、その量がその調理に必要な最小限の量が残っているか否かが視覚的に判り易くなり、カップめんなどを調理する際に、残湯量で足りずに調理出来なくなってしまうことがなくなり、使い勝手のよりものが出来る。
【００１３】
尚、液体導出手段にポンプを例示したが、手動式のエアベローズを用いたものでも何ら差し支えない。また、イラストの代わりに写真で表示しても良い。
【００１４】
（実施例２）
次に、本発明の第３の実施例について図４〜図５を参照しながら説明する。図４のように、調理メニューを示すイラストのシール１１を作成し、貼付する構成にすることにより、容器内の残水量がその調理に必要な最小限の量なのかを視覚的に判ることが出来ると共に、多種類の調理に対応するための少ロット生産にも臨機応変に対応できる。また、図５のように水位窓１０と一体型にすれば、貼付工数を削減することが出来る。
【００１５】
（実施例３）
次に、本発明の第４の実施例について図２〜図３を参照しながら説明する。調理メニューを示すイラスト２ａを複数個並べて表示し、複数回調理出来るように表示したものを設けることにより、容器内の水量が調理に必要な湯量の何倍残っているかを湯が多量の時でも、視覚的に知ることができ、使い勝手の良いものが出来る。
【００１６】
（実施例４）
次に、本発明の第５の実施例について図６〜図７を参照しながら説明する。イラストにて表示した調理メニューがスイッチ機能を持ち、調理メニューを表示したイラストを押すと、その調理に必要な湯量をタイマー回路によりあらかじめ設定された時間作動して定量の湯を出湯するように構成されている。
【００１７】
上記実施例の回路構成とその動作を、図７を用いて更に詳細に説明する。５１ａ及び５１ｂは電源プラグであり、５３は加熱・保温動作のためのヒーター、５２ａは加熱・保温ヒーター５３のオンオフを制御するリレー、５２はリレー５２ａの動作を決定する加熱制御手段、１２は調理メニューのイラスト表示をもつスイッチ、５６はスイッチ１２のオンオフを検知する入力検知手段、５７は液体を出湯するためのモーター５９を制御する出湯制御手段、５８は出湯制御手段５７によりモーター５９が動作している時間を計測する時間計測手段である。スイッチ１２が押されると、入力検知手段５６が検知し、出湯制御手段５７へ信号を送り、出湯制御手段５７によりモーター５９を動作させる。モーター５９の動作を開始させるときに、出湯制御手段５７から時間計測手段５８へ信号を送り、時間計測手段にて時間の計測を開始する。時間計測手段５８で計測した時間が１０秒に達すると、出湯制御手段５７へ信号を送り、モーター５９の動作をストップさせる。このことが本発明の最大の特徴であり、この構成によれば簡単便利に調理をすることが出来る。
【００１８】
尚、本実施例では、調理メニューのイラストを表示したスイッチを１つとしたが、複数個にして多種多様にしても良い。
【００１９】
（実施例５）
次に、本発明の第６の実施例について図８〜図９を参照しながら説明する。調理に必要な湯量の水位に水量センサー１３をつけ、湯量がそれ以上ある場合にその調理メニューのイラスト表示を裏面から照射させることにより報知する構成にしたものを設けたものである。
【００２０】
上記実施例の回路構成とその動作を、図９を用いて更に詳細に説明する。５１ａ及び５１ｂは電源プラグであり、５３は加熱・保温動作のためのヒーター、５２ａは加熱・保温ヒーター５３のオンオフを制御するリレー、５２はリレーの動作を決定する加熱制御手段、６１ｄは一定量の光を検出するとオンになるフォトトランジスタ、６１ｃはフォトトランジスタに対向して備え付けられた発光ダイオード、６２ｄは水位まで水が達しているときに表示するための発光ダイオードである。
【００２１】
水が水位に達しているときには、発光ダイオード６１ｃの光が偏光して、６１ｄのフォトトランジスタはオンするだけの充分な光量を得られず、水位検知手段６１では”Ｈ”（５Ｖ）を検出する。水位検知手段６１が”Ｈ”を検出すると、水位表示手段６２に信号を送り、水位表示手段６２の出力を”Ｌ”にすることにより、発光ダイオード６２ｂを点灯表示させる。
【００２２】
水が水位に達していないとには、発光ダイオード６１ｃの光は偏光することなく６１ｄのフォトトランジスタはオンするだけの充分な光量を得ることができ、水位検知手段６１は”Ｌ”（０Ｖ）を検出する。水位検知手段６１が”Ｌ”を検出すると、水位検知手段６２に信号を送り、水位表示手段６２の出力を”Ｈ”にすることにより、発光ダイオード６２ｂを消灯表示させる。
【００２３】
したがって、この構成によれば、調理に必要な湯量があるかが離れたところからでも一目で判り、使い勝手の良いものが出来る。
【００２４】
尚、本実施例では、イラスト裏面より照射したが、側面または表面でも良いし、ＬＥＤやＬＣＤを用いても良い。また、点灯する調理メニューのイラスト表示を１つとしたが、複数個にして多種多様にしても良い。
【００２５】
【発明の効果】
以上の本実施例の説明より明らかなように、請求項１記載の説明によれば、水量がその調理に必要な最小限の量なのかが視覚的に判り易くなり、カップめんなどを調理する際に、残湯量で足りずに調理出来なくなってしまうことがなくなり、使い勝手のよりものが出来る。
【００２６】
また、容器内の水量がその調理に必要な最小限の量なのかを視覚的に判ることが出来ると共に、多種類の調理に対応するための少ロット生産にも臨機応変に対応できる。また、水位窓と一体型にすれば、貼付工数を削減することが出来る。
【００２７】
また、請求項２記載の発明によれば、容器内の水量が調理に必要な湯量の何倍残っているかを湯が多量の時でも、視覚的に知ることができ、使い勝手の良いものが出来る。
【００２８】
また、請求項３記載の発明によれば、所望の調理に適応した湯量を簡単便利に抽出し、そのまま調理をすることが出来る。
【００２９】
また、請求項４記載の発明によれば、調理に必要な湯量があるかが離れたところからでも一目で判り、使い勝手の良いものが出来る。
【図面の簡単な説明】
【図１】  本発明の第１の実施例における電気湯沸かし器の縦断面図
【図２】  本発明の第１及び第２及び第４の実施例における電気湯沸かし器の斜視図
【図３】  本発明の第１及び第２及び第４の実施例における電気湯沸かし器の部分詳細図
【図４】  本発明の第３の実施例における電気湯沸かし器の部分詳細図
【図５】  本発明の第３の実施例における電気湯沸かし器の部分詳細図
【図６】  本発明の第５の実施例における電気湯沸かし器の縦断面図
【図７】  本発明の第５の実施例における電気湯沸かし器の回路図
【図８】  本発明の第６の実施例における電気湯沸かし器の縦断面図
【図９】  本発明の第６の実施例における電気湯沸かし器の回路図
【図１０】  従来例の電気湯沸かし器の縦断面図
【図１１】  従来例の電気湯沸かし器を示す斜視図
【符号の説明】
１  器体
２  ボデー
２ａイラスト
３  注口
４  液体
５  容器
６  発熱体
７  導出経路
７ａガラス管
８  導出手段
９  蓋体
１０  水位窓
１１  シールのイラスト
１２  スイッチ
１３  水量センサー
【図１】
0004035931.tif 000002
【図２】
0004035931.tif 000003
【図３】
0004035931.tif 000004
【図４】
0004035931.tif 000005
【図５】
0004035931.tif 000006
【図６】
0004035931.tif 000007
【図７】
0004035931.tif 000008
【図８】
0004035931.tif 000009
【図９】
0004035931.tif 000010
【図１０】
0004035931.tif 000011
【図１１】
0004035931.tif 000012